(57)【要約】【課題】各空間光変調素子の光学面に垂直な光軸周りの傾き調整を、周囲を他の空間光変調素子に囲まれた内側の空間光変調素子も含めて調整する。【解決手段】４５°反射面１１２は、ＬＣＯＳ１０毎にその近傍位置にそれぞれ設けられ、入射した調整光を複数のＬＣＯＳ１０の光学面と平行な方向に反射するように配置されている。副次的反射面１１３は、ＬＣＯＳ１０毎にその近傍位置にそれぞれ設けられ、隣接する他のＬＣＯＳ１０の４５°反射面１１２で反射されて入射する反射調整光をＬＣＯＳ１０の光学面と平行な方向に反射して再び隣接する他のＬＣＯＳ１０の４５°反射面１１２に入射する。傾き調整機構部(40,108,110)は、４５°反射面１１２から外部の光源方向に反射する反射調整光の光路５２が外部の光源からの調整光の光路５１と一致するように、光軸に垂直な光学面内の回転による傾き調整を行う。【選択図】図９
2015191217.tif 000002
【特許請求の範囲】
【請求項１】
所定のパネル面に行方向及び列方向に並列配置された複数の空間光変調素子と、
前記複数の空間光変調素子が並列配置された部材と異なる部材に設けられた第１の角度調整用基準反射部材と、
前記空間光変調素子毎にその近傍位置にそれぞれ設けられた調整光反射部材と、
前記空間光変調素子毎にその近傍位置にそれぞれ設けられた副次的反射面と、
前記空間光変調素子毎に設けられた、前記空間光変調素子の光学面に垂直な光軸周りの回転による前記空間光変調素子の傾きを調整する傾き調整機構部とを有し、
前記調整光反射部材は、入射した調整光を前記第１の角度調整用基準反射部材又は前記副次的反射面に反射するように配置され、
前記副次的反射面は、隣接する他の空間光変調素子の前記調整光反射部材で反射されて入射する反射調整光を前記調整光反射部材に反射するように配置される
をことを特徴とする傾き調整機構を備えた光学機器。
【請求項２】
前記第１の角度調整用基準反射部材は、反射面が前記複数の空間光変調素子の光学面に垂直な光軸に平行に設けられており、前記調整光反射部材は、前記複数の空間光変調素子の光学面に対して４５°の角度をなす反射面を有することを特徴とする請求項１記載の傾き調整機構を備えた光学機器。
【請求項３】
所定のパネル面に行方向及び列方向に並列配置された複数の空間光変調素子毎における近傍位置それぞれに設けられた調整光反射部材に、外部の光源から調整光を入射するステップと、
前記調整光反射部材において前記調整光を反射させることにより、記空間光変調素子毎における近傍位置それぞれに設けられた副次的反射面又は前記複数の空間光変調素子が並列配置された部材と異なる部材に設けられた第１の角度調整用基準反射部材に前記調整光を入射するステップと、
前記副次的反射面又は前記第１の角度調整用基準反射部材において前記調整光を反射させることにより、前記調整光反射部材に前記調整光を入射する第１反射ステップと、
前記調整光反射部材において、第１反射ステップにおいて入射された前記調整光を反射させる第２反射ステップと、
前記第２反射ステップにより反射された前記調整光に基づいて、前記空間光変調素子の光学面に垂直な光軸周りの回転による前記空間光変調素子の傾きを調整するステップと
を有する傾き調整方法。
【発明の詳細な説明】
【技術分野】
【０００１】
本発明は傾き調整機構を備えた光学機器及び傾き調整方法に関する。
【背景技術】
【０００２】
２次元の光学像を表示する複数の空間光変調素子を３行３列、あるいは４行４列のように並列に配置し、それら複数の空間光変調素子からの各光学像を光学系で合成して大きな合成像を得る光学機器が知られている。これは大きな光学像を表示するために、表示する像に見合った大面積或いは高密度に多数の光学素子を配列した単体の空間光変調素子の製作が難しいため、並列配置された複数の空間光変調素子が最終的表示情報を分担表示する事で同様の大きな映像を得るためである。
【０００３】
このような複数の空間光変調素子が並列配置された光学機器においては、それぞれの空間光変調素子について光軸に対する倒れ角の調整（アオリ調整）と、光軸に垂直な平面内での回転による傾きを他の空間光変調素子と揃える傾き調整とを行って各空間光変調素子の傾きが揃った状態とする粗調整の後、更に合成像を表示しながら光学系に合わせ込む微調整が必要である。これらの調整のうち、粗調整に関しては従来特許文献１に記載の方法が知られている。
【０００４】
特許文献１に記載の従来の光学機器では、並列配置された複数の空間光変調素子にそれぞれアオリ調整の支持体として外枠を設け、ネジとバネで表示部を保持し、ネジとバネの釣り合いの調整により傾きを調整する構成としている。
【先行技術文献】
【特許文献】
【０００５】
【特許文献１】特開平７−１２９０６７号公報
【発明の概要】
【発明が解決しようとする課題】
【０００６】
しかしながら、特許文献１に記載の３行３列に空間光変調素子を並列配置した光学機器の構成では、表示面に垂直な側面方向の空間を利用して回転による傾き調整を行う場合、真ん中の１個の空間光変調素子は傾き調整する際の基準の設定ができない問題がある。
【０００７】
本発明は以上の点に鑑みなされたもので、複数の空間光変調素子の密集した並列配置に対応し、各空間光変調素子の光学面に垂直な光軸周りの傾き調整を、周囲を他の空間光変調素子に囲まれた内側の空間光変調素子も含めて調整し得る傾き調整機構を備えた光学機器と方法を提供することを目的とする。
【課題を解決するための手段】
【０００８】
上記の目的を達成するため、本発明の傾き調整機構を備えた光学機器は、所定のパネル面に行方向及び列方向に並列配置された複数の空間光変調素子(10)と、前記複数の空間光変調素子が並列配置された部材と異なる部材に設けられた第１の角度調整用基準反射部材(20)と、前記空間光変調素子毎にその近傍位置にそれぞれ設けられた調整光反射部材と(112)、前記空間光変調素子毎にその近傍位置にそれぞれ設けられた副次的反射面(113)と、前記空間光変調素子毎に設けられた、前記空間光変調素子の光学面に垂直な光軸周りの回転による前記空間光変調素子の傾きを調整する傾き調整機構部(40,108,110)とを有し、前記調整光反射部材(112)は、入射した調整光を前記第１の角度調整用基準反射部材又は前記副次的反射面に反射するように配置され、前記副次的反射面(113)は、隣接する他の空間光変調素子の前記調整光反射部材で反射されて入射する反射調整光を前記調整光反射部材に反射するように配置されることを特徴とする。
また、本発明の傾き調整方法は、所定のパネル面に行方向及び列方向に並列配置された複数の空間光変調素子毎における近傍位置それぞれに設けられた調整光反射部材に、外部の光源から調整光を入射するステップと、前記調整光反射部材において前記調整光を反射させることにより、記空間光変調素子毎における近傍位置それぞれに設けられた副次的反射面又は前記複数の空間光変調素子が並列配置された部材と異なる部材に設けられた第１の角度調整用基準反射部材に前記調整光を入射するステップと、前記副次的反射面又は前記第１の角度調整用基準反射部材において前記調整光を反射させることにより、前記調整光反射部材に前記調整光を入射する第１反射ステップと、前記調整光反射部材において、第１反射ステップにおいて入射された前記調整光を反射させる第２反射ステップと、前記第２反射ステップにより反射された前記調整光に基づいて、前記空間光変調素子の光学面に垂直な光軸周りの回転による前記空間光変調素子の傾きを調整するステップとを有する。
【発明の効果】
【０００９】
本発明によれば、密集して並列配置された複数の空間光変調素子の各光軸周りの傾き調整を、周囲を他の空間光変調素子に囲まれた内側の空間光変調素子も含めて調整することができる。
【図面の簡単な説明】
【００１０】
【図１】本発明の傾き調整機構を備えた光学機器を構成要素として含む光学表示システムの一例のシステム構成図である。
【図２】本発明の傾き調整機構を備えた光学機器の一実施形態の概略外観斜視図である。
【図３】空間光変調素子ユニットの一実施形態の光学系側斜め上方から見た外観斜視図である。
【図４】空間光変調素子ユニットの一実施形態のユニットベースを透過した状態の装置内部側斜め上方から見た外観斜視図である。
【図５】空間光変調素子ユニットの一実施形態のユニットベースを透過した状態の斜め下方から見た外観斜視図である。
【図６】調整ねじを遠隔操作するフレキシブルシャフトの接続を示す図である。
【図７】調整ねじの動作説明図である。
【図８】傾き測定器を用いて傾き調整を行う際の説明図である。
【図９】図８における傾き調整の際の調整光の光路を説明する図である。
【図１０】図８及び図９における傾き調整の際の光路及び調整順番を説明する図である。
【発明を実施するための形態】
【００１１】
以下、図面を参照して本発明の実施形態について説明する。
【００１２】
図１は、本発明になる傾き調整機構を備えた光学機器を構成要素として含む光学表示システムの一例のシステム構成図を示す。同図において、光学表示システム１は、サーバー部２、本発明の傾き調整機構を備えた光学機器３、光学系４から構成されており、合成像５を表示する。サーバー部２は表示すべき画像の映像信号を出力する。
【００１３】
傾き調整機構を備えた光学機器３は、後述するように、その光学面に複数の空間光変調素子が３行３列、あるいは４行４列のように並列に配置されており、サーバー部２から供給された映像信号に応じて複数の空間光変調素子からそれぞれ光信号を出力する。光学系４は傾き調整機構を備えた光学機器３の複数の空間光変調素子からの複数の光出力を所望の形に合成して大きな合成像５を表示する。
【００１４】
次に、本発明の傾き調整機構を備えた光学機器の一実施形態の構成について説明する。
【００１５】
図２は、本発明の傾き調整機構を備えた光学機器の一実施形態の概略外観斜視図を示す。同図に示す本実施形態の光学機器３は図１に示した光学機器３に相当し、外形が大略直方体形状の筐体３０の前面パネルであるベース面３１に、空間光変調素子の一例としての反射型液晶表示素子（Liquid Crystal on Silicon：以下、ＬＣＯＳという）１０が１６個、４行４列に並列配置されている。ＬＣＯＳ１０はその駆動端子がＦＰＣ（フレキシブルプリント回路）基板を介して筐体３０内に実装されているＬＣＯＳ駆動用の回路基板に接続されている。
【００１６】
ベース面３１は、筐体３０の底板３２に対して垂直に設けられており、また、図１に示した光学系４の光軸を垂線とするように光学系４に対して正対するように配置されている。また、ベース面３１の１６個のＬＣＯＳ１０が並列配置されている領域の上側の領域のほぼ中央部に角度調整用基準反射部材２５が取り付けられている。
【００１７】
底板３２は、その一部がベース面３１よりも前方に突き出ており、その突き出ている底板位置で、１６個のＬＣＯＳ１０のうち最下行の４個のＬＣＯＳ１０にそれぞれ対応する位置に、４個の傾き調整用基準反射部材２０が設けられている。傾き調整用基準反射部材２０は、最下段のＬＣＯＳの光軸に垂直な平面内での回転による傾きを調整する際に用いる。具体的には光学系の光軸に平行な調整光を調整光反射部材(112)で傾き調整用基準反射部材に反射し、傾き調整用基準反射部材２０からの戻り光により傾き測定装置で調整するために用いる。
【００１８】
一方、筐体３０の上面３３には１６個のＬＣＯＳ１０の角度調整を個別に行う調整ノブ４０が配置されている。調整ノブ４０は、１個のＬＣＯＳ１０に対して、素子光学面であるベース面３１に垂直な光軸の倒れ方向の傾きであるパン方向の傾きとチルト方向の傾きの計２方向の傾き角を別々に調整する２軸のアオリ調整用の２個と、素子光学面内の回転による傾き（θ傾き）調整用の１軸の１個とが設けられる。従って、ここではＬＣＯＳ１０は１６個あるので、調整ノブ４０は全部で４８個設けられている。
【００１９】
次に、ＬＣＯＳ１０を調整機構に実装した空間光変調素子ユニットの構成について図３、図４及び図５と共に説明する。
【００２０】
図３は、空間光変調素子ユニットの一実施形態の光学系側斜め上方から見た外観斜視図、図４は、空間光変調素子ユニットの一実施形態のユニットベースを透過した状態の装置内部側斜め上方から見た外観斜視図、図５は、空間光変調素子ユニットの一実施形態のユニットベースを透過した状態の斜め下方から見た外観斜視図を示す。図３〜図５中、同一構成部分には同一符号を付してある。
【００２１】
図３〜図５の外観斜視図に示す空間光変調素子ユニット１００は、各ＬＣＯＳ１０毎に筐体３０に実装されており、ＬＣＯＳ１０の光学面１０−２に垂直な光軸に対するＬＣＯＳの傾きを、パン方向及びチルト方向にそれぞれ調整するアオリ調整と、光軸周りの回転に関して傾きを調整するθ傾き調整との機能を備える。ＬＣＯＳ１０は光源から光学面１０−２に入射するレーザー光を反射させて画像表示を行うため、光学系の一部としてＬＣＯＳ１０の光学面１０−２側には図示しないレーザー光を入射させるハーフミラーが設けてあり、ＬＣＯＳ搭載側から再生像を見ながらアオリ調整を行うことはできない。
【００２２】
次に、図３、図４及び図５を用いて空間光変調素子ユニット１００の構成を具体的に説明する。
【００２３】
図３に示すように素子保持部材１０１は、ＬＣＯＳ１０の光学面１０−２の長辺と短辺に平行なＬＣＯＳ外形とそれぞれ合わせるようにして位置決めして、ＬＣＯＳ１０を筐体３０の表面がベース面３１である筐体部分（以下、これをユニットベースという）に取付けている。素子保持部材１０１はパン回転軸１２でパン方向に回転自在にパンベース部材１０２に係合されている。図示しない付勢手段が、素子保持部材１０１をユニットベースに付勢する方向に設けられており、素子保持部材１０１に取付けた素子保持部材押圧部１０３をユニットベースに螺合されたパン調整ねじ１０４の凸量によって支持高さを変えてパン方向の角度変位を得る構造である。保持部材１０１の下側端部には４５°反射面１１２が設けられ、それに対向する上側端部には副次的基準反射面１１３が設けられている。４５°反射面１１２は、本発明の調整光反射部材を構成している。副次的基準反射面１１３はベース面３１と垂直であり、ベース面３１はＬＣＯＳ１０の光学面と平行である。
【００２４】
パンベース部材１０２はチルト回転軸１４でチルト方向に回転自在にチルトベース部材１０５に係合されており、図示しない付勢手段がパンベース部材１０２をベース面側に押し付ける方向に設けられており、チルトベース部材１０５及びパンベース部材１０２に取付けたパンベース部材押圧部１０６をユニットベースに螺合されたチルト調整ねじ１０７の凸量によって支持高さを変えてチルト方向の角度変位を得る構造である。
【００２５】
パン調整ねじ１０４、チルト調整ねじ１０７、θ傾き調整ねじ１０８は筐体内部で一端をフレキシブルシャフトに接続されており、これらフレキシブルシャフトの他端は筐体上面３３に取付けられた操作ノブ４０に接続されている。このようにして、上面の操作ノブ３３を回す事により調整が可能となる。
【００２６】
チルトベース部材１０５は光学面の中心と一致させた位置に基準ピン１０９が形成されている。基準ピン１０９をユニットベース上の対応穴に差し込まれる。ユニットベースにはθ傾き調整用押圧部材１１０が固定されており、ユニットベースの穴を通して、ユニットベース裏面側に出ている部分を、ユニットベース裏面に取付けてあるブラケット１１１に螺合したθ傾き調整ねじ１０８の進退によりチルトベース部材１０５を、基準ピン１０９を中心とした回転により傾きを調整する。
【００２７】
図６は、調整ねじを遠隔操作するフレキシブルシャフトの接続を示す。図６に示すようにベース面３１に螺合された調整ネジ１０４、１０７または１０８と、上面３３に設けた操作用ノブ４０とを繋ぐ部材がフレキシブルシャフト３５である。フレキシブルシャフト３５は可撓性回転軸としての性質を持ち、直線でなく撓んだ状態で一端に与えた回転を他端に伝える事ができる。内部は芯線の周りに鋼線を巻き付けた層が複数重なっており、本実施形態で用いるフレキシブルシャフト３５は、重なりあった鋼線の巻き層は各層毎に反対周りに巻くようにしてあり、左右両回転方向に対応できる。外部は絶縁用の被覆で覆ってあり、回路基板等電気部品間の狭いスペースでもショート等の心配無く安心して使えるようにしてある。
【００２８】
フレキシブルシャフト３５は大トルク或いは高回転の伝達にも対応できる。フレキシブルシャフト３５は、それ自体の腰が強く、適切な曲げ半径の確保と同時に、取り付け面に対してフレキシブルシャフトの腰の強さに負けない強度が必要である。フレキシブルシャフト３５を接続した調整ネジ１０４、１０７、１０８をパンベース部材等に直接取付けると、フレキシブルシャフトの反力で角度が変わってしまい、反力に負けない付勢を行なうと操作性と操作に連れて角度変更する追従性が悪くなる。従って、本実施形態では中間支持体に直接取り付けずに、フレキシブルシャフト３５の腰の強さの影響を受けないベース面３１に取り付ける構造をとり、フレキシブルシャフトの反力はベース面３１で遮断し、調整ねじの凸量の変化のみ伝えられるようにしたので、密集実装された調整用ネジ４０の操作が可能になっている。
【００２９】
図７は、調整ねじの動作説明図を示す。図７（Ｂ）は同図（Ａ）のａ方向から見た図を示す。図７（Ａ）、（Ｂ）に示すように、ベース面３１の内側の調整ねじ１０４の一端と上面の操作用ノブ４０とをフレキシブルシャフト３５で繋いで操作用ノブ４０の回転を伝える。ＬＣＯＳ間の配置を狭めて狭ピッチ配置を実現するため、操作部は筐体３０の裏面に設けてあり、裏面側にもＬＣＯＳを駆動する図示しない回路基板を実装するため直接操作を行なう空間が無く、遠隔操作を行う必要がある。
【００３０】
このように、アオリ調整部はＬＣＯＳ１０を固定した水平方向及び垂直方向の支持体がそれぞれ回転軸を介して連結されており、連結された支持体の一端をベース面に螺合されネジ部が突き出す調整用ネジ１０４、１０７の突出量を変化させる作用により、支持体の傾きを変更する構造である。
【００３１】
次に、調整方法について説明する。調整は光学系無しの状態で各ＬＣＯＳの向きを揃えて更にθ傾きが無い状態にする粗調整と、粗調整後に行う光学系を取付けて合成像を確認しながら光学系に合わせて調整を行う微調整で構成される。
【００３２】
粗調整は、アオリ調整とθ傾き調整とからなり、アオリ調整を行ってからθ傾き調整を行う。アオリ調整は、光源からのレーザー光を対象物に照射して対象物から反射された反射光を、コリメータレンズを介して受光素子で受け、その受光位置の変位により対象物の角度を得る市販の傾き測定装置を利用する。
【００３３】
まず、前述の傾き測定装置により図１のベース面３１上に設けた基準となる角度調整用基準反射部材２５の角度を測定し、角度調整用基準反射部材２５と同じアオリ角度になるように１６個のＬＣＯＳ１０の傾きを調整する。
【００３４】
次に、同じ傾き測定装置を、基準となる角度調整用基準反射部材２５に正対するように設置し、その状態を維持したまま、図２に示した底板３２に設けられた傾き調整用基準反射部材２０に近接離間した位置にある最下段のＬＣＯＳ１０を実装する保持部材１０１上に設けた図３に示す４５°反射面１１２に、図８に示すように傾き測定装置５０からレーザー光を照射する。
【００３５】
図９は、傾き測定装置５０を用いて光学機器３に向かってＬＣＯＳ１０のθ傾きを調整する状態を示す。傾き測定装置５０から出射されたレーザー光は光路５１を経て４５°反射面１１２に入射して反射し、その反射光が傾き調整用基準反射部材２０で反射した後元の４５°反射面１１２で再び反射され、光路５２を経て傾き測定装置５０に戻ってくる。このとき、角度調整用基準反射部材２５の場合と同様に反射光を受光できるように、θ傾きの調整を行える調整用ノブ４０を回して調整することにより、保持部材１０１が傾き調整用基準反射部材２０に平行な状態に調整できる。
【００３６】
最下段のＬＣＯＳの傾きを角度調整用基準反射部材２０を用いて調整しておけば、最下段のＬＣＯＳ保持部材の４５°反射面１１２の反対側に設けた垂直な反射面である副次的基準反射面１１３が底板３２と略平行な状態になるので、今度は、一行上の位置にあるＬＣＯＳ保持部材のθ調整が同様に可能になる。
【００３７】
なお、本実施形態では迷光抑止のため、ＬＣＯＳ保持部材１０１の４５°反射面１１２に対向する場所にだけそれぞれ基準となる反射面を設けたが、一体で必要な領域をカバーする反射面としても良い。更に、底板３２上に設けた傾き調整用基準反射部材２０とベース面３１上に設けた角度調整用基準反射部材２５とは垂直な位置関係となるように装置組立の段階に合わせ込んである。
【００３８】
上記の傾き調整後の保持部材１０１の光軸に垂直な副次的基準反射面１１３は、隣接する一行上のＬＣＯＳの保持部材の４５°反射面１１２に対して傾き調整用基準反射部材２０と同じ働きが可能になる。すなわち、図９に示すように、一行上のＬＣＯＳのθ傾き調整のため、１行分の高さだけ高く位置調整された傾き測定装置５０から出射されたレーザー光（調整光）は光路５１‘を経て１行上のＬＣＯＳ保持部材の４５°反射面１１２に入射して反射し、その反射光が副次的基準反射面１１３で反射した後元の４５°反射面１１２で再び反射され、光路５２’を経て傾き測定装置５０に戻ってくる。このとき、角度調整用基準反射部材２５の場合と同様に反射光を受光できるように、θ傾きの調整を行える調整用ノブ４０を回して反射光の光路が傾き測定装置５０から出射されたレーザー光の光路と一致するように調整することにより、保持部材１０１が傾き調整用基準反射部材２０に平行な状態に調整できる。
【００３９】
図１０は、θ傾きの調整の順番の一例を示す図である。まず、並列配置されたＬＣＯＳ１０のうち最下行の最も底板３２に近く、かつ、左端の第一列のＬＣＯＳ１０を含む空間光変調素子ユニット１００1に対して前述した傾き測定装置５０を用いたθ傾き調整が行われる。このとき、空間光変調素子ユニット１００1が傾いていると、傾き測定装置５０から出射されたレーザー光（調整光）の光路５３と、空間光変調素子ユニット１００1の４５°反射面で反射されて傾き測定装置に戻ってくる反射光の光路５４とが大きくずれる。そこで、この反射光の光路５４が入射するレーザー光の光路５３と一致するようにθ傾きの調整を行える調整用ノブ４０を回して調整する。
【００４０】
続いて、並列配置されたＬＣＯＳ１０のうち下から二番目で、かつ、第一列のＬＣＯＳ１０を含む空間光変調素子ユニット１００2に対して前述した傾き測定装置５０を用いたθ傾き調整が行われる。空間光変調素子ユニット１００2のθ傾き調整が終了すると、続いて、並列配置されたＬＣＯＳ１０のうち下から三番目で、かつ、第一列のＬＣＯＳ１０を含む空間光変調素子ユニット１００3に対して前述した傾き測定装置５０を用いたθ傾き調整が行われる。続いて、並列配置されたＬＣＯＳ１０のうち最上位行で、かつ、第一列のＬＣＯＳ１０を含む空間光変調素子ユニット１００4に対して前述した傾き測定装置５０を用いたθ傾き調整が行われる。
【００４１】
なお、図９とともに説明したように、θ傾き調整毎に調整対象の空間光変調素子ユニットの位置に対応した高さ位置に傾き測定装置が移動される。また、空間光変調素子ユニット１００2〜１００4のθ傾き調整時にはその下の行の空間光変調素子ユニットの副次的基準反射面１１３を傾き調整用基準反射部材２０と同様に扱う。
【００４２】
このようにして、同じ列に配置された４個の空間光変調素子ユニット１００1〜１００4をひとまとまりとして、下から順にθ傾き調整が行われ、それらのθ傾き調整が終了すると、今度は次の第２列の４個の空間光変調素子ユニット１００5〜１００8に対して、下から順番にθ傾き調整が行われる。以下同様にして、最後の列の４個の空間光変調素子ユニットまで順番にθ傾き調整が行われる。なお、一旦調整が終わった後は迷光防止のためマスク部材を光路にいれて反射を防止する。
【００４３】
このように、本実施形態によれば、基準となる傾き調整用基準反射部材２０に近い側の空間光変調素子ユニットから順次ＬＣＯＳの光軸周りの傾き調整（θ傾き調整）を行うことにより、並列配置された複数のＬＣＯＳのうち周囲を他のＬＣＯＳに囲まれた内側に配置されたＬＣＯＳのθ傾き調整も可能になる。更に非接触で調整を行えるので、着脱等によるずれが無く、安定的な調整を行える。更に、本実施形態によれば、複数の並列配置全体にわたってＬＣＯＳ保持部材は同一形状のものを利用できるので、部品管理が容易になり、またコストダウンも見込める。
【００４４】
なお、本発明は以上の実施形態に限定されるものではなく、例えば、基準となる角度調整用基準反射部材２５は、筐体３０のベース面３１以外の側面や上面側に設けてもよく、ＬＣＯＳ保持部材の対応する位置に４５°反射面とその反対側に垂直な反射面を設けられれば、同様にθ傾き調整を行う事が可能である。
以上のようにして粗調整を行い、後に光学系４を接続し、合成像を見ながら微調整を行なう事で調整を完了する。
【符号の説明】
【００４５】
１  光学表示システム
２  サーバー部
３  傾き調整機構を備えた光学機器
４  光学系
５  合成像
１０  反射型液晶表示素子（ＬＣＯＳ）
２０  傾き調整用基準反射部材
２５  角度調整用基準反射部材
３０  筐体
３１  ベース面
３２  底板
３３  上面
３５  フレキシブルシャフト
４０  調整用ノブ
１００  空間光変調素子ユニット
１０１  素子保持部材
１０２  パンベース部材
１０３  素子保持部材押圧部
１０４  パン調整ねじ
１０５  チルトベース部材
１０６  パンベース部材押圧部
１０７  チルト調整ねじ
１０８  θ傾き調整ねじ
１０９  基準ピン
１１０  θ傾き調整用押圧部材
１１１  ユニットベースブラケット
１１２  ４５°反射面
１１３  副次的基準反射面
【図１】
2015191217.tif 000003
【図２】
2015191217.tif 000004
【図３】
2015191217.tif 000005
【図４】
2015191217.tif 000006
【図５】
2015191217.tif 000007
【図６】
2015191217.tif 000008
【図８】
2015191217.tif 000009
【図９】
2015191217.tif 000010
【図１０】
2015191217.tif 000011
【図７】
2015191217.tif 000012